(57)【要約】【課題】可視光を使用することによりデータ転送を行っていることがユーザにわかりやすく、面白味のあるデータ転送ができる携帯端末装置及びデータ転送方式を提供する。【解決手段】カメラ付き携帯電話機１０Ａ，１０Ｂは、データ転送時にユーザ操作等により発光するＬＥＤライト１３Ａ，１３Ｂと、対象となる画像情報を入力するとともに、データ転送時、ＬＥＤ１３Ａ，１３Ｂの発光を受光可能なカメラ１２Ａ，１２Ｂとを備え、データ転送時には、電話番号やメールアドレス等のデータをＬＥＤの発光パターンに変えて送信するとともに、カメラ１２Ａ，１２Ｂにより受光した発光パターンから電話番号やメールアドレス等のデータを復元する制御を行う。【選択図】  図１
2004221924.tif 000002
【特許請求の範囲】
【請求項１】
発光素子と、
前記発光素子の発光を受光可能な撮像手段と、
送信データを前記発光素子の発光パターンに変えて送信するとともに、
前記撮像手段により受光した発光パターンから送信データを復元する手段とを備えることを特徴とする携帯端末装置。
【請求項２】
前記発光パターンは、前記発光素子の点滅、該点滅の回数、又は前記発光素子の消灯若しくは点灯の時間的変化であることを特徴とする請求項１記載の携帯端末装置。
【請求項３】
前記発光パターンは、前記発光素子の発光色の変化であることを特徴とする請求項１記載の携帯端末装置。
【請求項４】
前記発光素子は、ＬＥＤであることを特徴とする請求項１乃至３のいずれか一項に記載の携帯端末装置。
【請求項５】
前記発光素子は、可視光により発光することを特徴とする請求項１乃至４のいずれか一項に記載の携帯端末装置。
【請求項６】
前記携帯端末装置は、カメラ付き携帯装置であり、前記撮像手段は、該カメラであることを特徴とする請求項１記載の携帯端末装置。
【請求項７】
発光素子と、前記発光素子の発光を受光可能な撮像手段とを備える携帯端末装置のデータ転送方式であって、
前記発光素子の発光パターンによりデータを送信し、
送信された光を前記撮像手段により受信することでデータ転送を行うことを特徴とするデータ転送方式。
【発明の詳細な説明】
【０００１】
【発明の属する技術分野】
本発明は、カメラ付き携帯電話機及びデジタルカメラ等の携帯端末装置及びデータ転送方式に関する。
【０００２】
【従来の技術】
液晶パネルなどの画面表示装置や、キー入力などによる入力装置を有している昨今の携帯電話は、いわゆる電波の送受信を行う電話機としての機能のほかに、メールをやり取りできる機能や、ゲームを楽しめる機能などを備えるなど、多機能化の傾向が進んでいる。
【０００３】
近年、小型で、低消費電力のイメージセンサが開発されたことに伴い、携帯電話機などの携帯型装置にカメラを内蔵することが可能となり、内蔵カメラにより撮影した画像を、電子メールで即座に送信できることが可能となっている。これらの内蔵カメラは、小型であることが優先され、一般的なデジタルカメラよりも解像度が低い。
【０００４】
また、近年の携帯電話機は、インターネットに接続する機能を有している。インターネットに接続するには、ＵＲＬ（Ｕｎｉｆｏｒｍ  Ｒｅｓｏｕｒｃｅ  Ｌｏｃａｔｏｒ）をキーから入力する必要があり、携帯電話機のキーでは、長いＵＲＬを打ち込むために手間がかかっていた。そこで、ＵＲＬを一意の番号で管理し、その番号に対応するバーコードを印刷したものをバーコードリーダで読み込むことにより、ＵＲＬの入力の手間を省き、ユーザの使い勝手をよくする試みがなされている。このような装置では、別途バーコードリーダを携帯電話機に接続する必要がある。
【０００５】
そこで、カメラを内蔵した携帯装置では、その内蔵カメラにより入力したバーコード画像に対してバーコードを認識できれば、別途バーコードリーダを用意しなくても、このようなサービスを利用することができる。
【０００６】
例えば、特許文献１には、写真モードとＱＲコード（２次元コード）読取モードを選択設定でき、設定モードに応じた処理がなされる情報提供サービスが開示されている。また、特許文献２には、１次元コードはラインＣＣＤで処理し、２次元コードはエリアＣＣＤで処理して読取り精度を高めるコードリーダが記載されている。但し、バーコード種類に応じたカメラ画像取り込み領域の設定については記載はない。
一方、従来の携帯電話間のデータ転送には、共通コネクタの間をケーブルで接続してデータを転送する方式や、赤外線を使用するデータ転送方式がある。
【０００７】
【特許文献１】
特開２００２−１１１９０９号公報（図１）
【特許文献２】
特開平９−２５９２１５号公報（図１）
【０００８】
【発明が解決しようとする課題】
しかしながらこのような従来のカメラ付き携帯端末にあっては、以下のような問題点があった。
例えば、ケーブルによるデータ転送は、ケーブルを接続するため端末間の距離が固定される、ケーブルを接続する手間が掛かる、１対１のみの転送しかできないといった問題があった。
【０００９】
また、赤外線によるデータ転送方式では、上記ケーブルによるデータ転送方式の問題はないものの、赤外線自体人間の目に見えないものでありユーザにわかりづらく面白味に欠けるものであった。
【００１０】
本発明は、このような課題に鑑みてなされたものであって、データ転送を行っていることがユーザにわかりやすく、面白味のあるデータ転送ができる携帯端末装置及びデータ転送方式を提供することを目的とする。
また、本発明は、ケーブルの接続を行う必要がなく、１対多のデータ転送が可能な携帯端末装置及びデータ転送方式を提供することを目的とする。
【００１１】
【課題を解決するための手段】
本発明の携帯端末装置は、発光素子と、前記発光素子の発光を受光可能な撮像手段と、送信データを前記発光素子の発光パターンに変えて送信するとともに、前記撮像手段により受光した発光パターンから送信データを復元する手段とを備えることを特徴としている。
【００１２】
また、より好ましくは、前記発光パターンは、前記発光素子の点滅、該点滅の回数、又は前記発光素子の消灯若しくは点灯の時間的変化である。
前記発光パターンは、前記発光素子の発光色の変化であってもよい。
【００１３】
また、より好ましい具体的な態様として、前記発光素子は、ＬＥＤであり、また、可視光により発光するものである。
また、より好ましい具体的な態様として、前記携帯端末装置は、カメラ付き携帯装置であり、前記撮像手段は、該カメラである。
【００１４】
本発明のデータ転送方式は、発光素子と、前記発光素子の発光を受光可能な撮像手段とを備える携帯端末装置のデータ転送方式であって、前記発光素子の発光パターンによりデータを送信し、送信された光を前記撮像手段により受信することでデータ転送を行うことを特徴としている。
【００１５】
【発明の実施の形態】
以下、添付図面を参照しながら本発明の好適な携帯端末装置及びデータ転送方式の実施の形態について詳細に説明する。
図１は、本発明の実施の形態の携帯端末装置の外観を模式的に示す図であり、図１（ａ）はそのデータ送信側の携帯端末装置、図１（ｂ）はそのデータ受信側の携帯端末装置である。本実施の形態の携帯端末装置は、カメラ付き携帯電話機／ＰＨＳ（Ｐｅｒｓｏｎａｌ  Ｈａｎｄｙ−Ｐｈｏｎｅ  Ｓｙｓｔｅｍ）の携帯通信端末に適用した例である。
【００１６】
図１において、１０Ａ，１０Ｂは、カメラ付き携帯電話機（携帯端末装置）であり、携帯電話機１０Ａ，１０Ｂは、電波を送受信するアンテナ１１Ａ，１１Ｂ、本体背面に内蔵され対象となる画像情報を入力するカメラ１２Ａ，１２Ｂ（撮像手段）、本体背面に内蔵され暗い場所やデータ転送時にユーザ操作等により発光するＬＥＤ（ｌｉｇｈｔ  ｅｍｉｔｔｉｎｇ  ｄｉｏｄｅ）ライト１３Ａ，１３Ｂ（発光素子）、及び操作のためのガイダンスや受信情報，画像やテキスト情報などの情報を表示するＬＣＤ表示部１４Ａ，１４Ｂを備えて構成される。
【００１７】
また、図示は省略するが、携帯電話機１０Ａ，１０Ｂは、受話を行うための拡声用スピーカ、電源のＯＮ／ＯＦＦを行う電源キー、着信，発信，電話機能切り替え，動作決定等を行う電話機能キー、各種機能を切り替えるためのモードキー、上下左右の方向に選択対象を移動させるカーソルキー、カメラ１２Ａ，１２Ｂの入力を決定するシャッターボタンであるシャッターキー、ＬＥＤライト１３Ａ，１３ＢをＯＮ／ＯＦＦするライトＯＮ／ＯＦＦボタン、電話番号の入力等ダイヤルするためのメンブレンキー（Ｍｅｍｂｒａｎｅ  ｋｅｙ）からなるダイヤルキー、及び音声を入力するためのマイク等を備える。
【００１８】
カメラ１２Ａ，１２Ｂは、携帯電話機１０Ａ，１０Ｂに内蔵された例えば３４万画素のＣＣＤ（Ｃｈａｒｇｅ  Ｃｏｕｐｌｅｄ  Ｄｅｖｉｃｅ）（エリア型固体撮像素子）カメラである。カメラ１２Ａ，１２Ｂは、単焦点レンズを有し、通常撮影時とバーコード読み取り時とで焦点深度が切換えられるものが好ましい。
【００１９】
ＬＣＤ表示部１４Ａ，１４Ｂは、ドットマトリクス構成のＬＣＤディスプレイ，バックライトであるＰＤＰ，ＥＬ及び各ドライバ等で構成される。ＬＣＤ表示部１４Ａ，１４Ｂには、撮影時、カメラ１２Ａ，１２Ｂから入力される画像情報が表示され、また、データ通信が完了した場合、文字あるいはアイコンなどのメッセージにより通信結果が表示される。また、非撮影時にはダイヤルキーから入力された番号や、非電話機能のための各種画面、電話機能の動作状態を示すアイコン等が表示される。さらに、待機時には時刻が表示され、個人情報やシステムの状態などを表示する。
【００２０】
携帯電話機１０Ａから携帯電話機１０Ｂに電話番号やメールアドレス、ＵＲＬ等のデータを送ろうとする場合、データはＬＥＤライト１３Ａの点滅や、色の変化に変換され送出される。携帯電話機１０Ｂではカメラ１２Ｂにより携帯電話機１０Ａからの光を受信し、逆変換しデータを読みとる。携帯電話機１０Ｂから携帯電話機１０Ａにデータを送る場合は逆の動作を行えばできる。また、ここでは１対１の場合を記述したが、１対多でも同様にデータ転送できることは明らかである。
【００２１】
図２は、上記カメラ付き携帯電話機の構成を示すブロック図である。この図の説明に当たり、上記カメラ付き携帯電話機１０Ａ，１０Ｂは、同一構成をとるため、カメラ付き携帯電話機１０Ａを代表して説明する。
【００２２】
図２において、携帯電話機１０Ａは、ＰＤＡ（Ｐｅｒｓｏｎａｌ  Ｄｉｇｉｔａｌ  Ａｓｓｉｓｔａｎｔｓ）等の携帯情報端末やＰＨＳ／携帯電話機であり、本装置全体を制御するＣＰＵ２１、制御プログラムや固定データ等を記憶するＲＯＭ，ＣＰＵの作業用記憶領域であるＲＡＭ等の半導体メモリ及びハードディスクなどからなり受信又は入力された文字情報、画像情報、音声信号を記憶するメモリ２２、無線通信の送受信を制御する送受信部２３、ベースバンド部２４、ユーザから音声信号を入力するマイク２５、音声信号を出力するスピーカ２６、ユーザからのキー操作情報を入力生成する操作部２７、表示部２８、カメラを制御するカメラ制御部２９、対象となる画像情報を入力するカメラ３０（撮像手段）、ＬＥＤ制御部３１、及びＬＥＤ３２（発光素子）を備えて構成される。
【００２３】
ＣＰＵ２１は、装置全体の制御を行う制御部であり、制御プログラム、演算に使用するデータを記憶したメモリ２２を用いて携帯電話機の通信制御、例えば、呼の設定、開放、ハンドオフ等を制御し、通信プロトコルの一部を実行する。
【００２４】
特に、ＣＰＵ２１は、データ転送時には、送信データをＬＥＤ３２の発光パターンに変えて送信するとともに、カメラ３０により受光した発光パターンから送信データを復元する制御を行う。
【００２５】
メモリ２２は、ＣＰＵ２１が動作する際に必要なプログラム、通信制御データ等の固定データを記憶するＲＯＭや、文字表示に関するデータや演算に使用するデータ及び演算結果等を一時的に記憶するＲＡＭで構成される。また、ＲＡＭの一部は、電気的に書換可能な不揮発性メモリであるＥＥＰＲＯＭ（ｅｌｅｃｔｒｉｃａｌｌｙｅｒａｓａｂｌｅ  ｐｒｏｇｒａｍｍａｂｌｅ  ＲＯＭ）からなり、ＥＥＰＲＯＭに書き込むプログラムを変えることによって、特に携帯電話機１０Ａにおける各種の仕様を変更することができる。すなわち、最近ではシステム開発のデバッグごとにマスクＲＯＭを変更する時間損失を回避するため、プログラムＲＯＭを不揮発性メモリ、例えばＥＰＲＯＭ，ＥＥＰＲＯＭとし、プログラム開発・修正時間の短縮の大幅な短縮を図っている。また、プログラムをダウンロードしてＥＥＰＲＯＭのプログラム内容を書き換えるようにすれば機能のアップグレードや機能の変更を容易に行うことが可能になる。
【００２６】
送受信部２３は、送信データをＲＦ信号に変換して送信する送信部及び受信したＲＦ信号をデータに変換する受信部とから構成される。
ベースバンド部２４は、送受信部内の受信部からの受信データを音声に変換しスピーカ２６に出力する、又はマイク２５から入力される音声データを送受信部内の送信部に出力する。
【００２７】
操作部２７は、ユーザからの発呼、着呼、文字入力などを操作するもので通常キー等で構成される。
表示部２８は、ＬＣＤディスプレイからなり、この表示画面には、時刻、アンテナ強度、通話時の相手の電話番号や通話時間等が表示される。
【００２８】
カメラ制御部２９は、カメラ３０の制御を行う、またカメラ３０から出力される画像データの画像処理を行う。
カメラ３０は、ＣＭＯＳセンサやＣＣＤで構成され、入力される光を画像データに変換する。
【００２９】
ＬＥＤ制御部３１は、ＬＥＤ３２のＯＮ／ＯＦＦ、光の色、光の強度を制御する。
ＬＥＤ３２は、カメラ撮影用ライトであり、通常白色ＬＥＤが使用され、ＬＥＤ制御部３１の制御によりＯＮ／ＯＦＦ、光の色や強度を変えることができる。
【００３０】
以下、上述のように構成されたカメラ付き携帯電話機の動作を説明する。
まず、データ送信時の動作を説明する。ユーザから操作部２７に加えられる操作により携帯電話機１０Ａはデータ送信モードとなる。送信データがユーザの操作により選択されると、ＣＰＵ２１は、ＬＥＤ制御部３１に対しそのデータに対応する制御を行う。ＬＥＤ制御部３１は、ＣＰＵ２１の制御に対応した制御信号をＬＥＤ３２に出力し、ＬＥＤ３２を制御信号に対応する発光パターン（点滅又は色の変化、あるいはそれらの組み合わせ）で発光させる。例えば、電話番号やメールアドレス等のデータを送信側の携帯電話機１０ＡのＬＥＤ３２の点滅や色の変化によって送信する。また、ＬＥＤ３２の点滅や点滅の回数に限らず、ＬＥＤ３２の消灯若しくは点灯の時間的変化によってもよい。
【００３１】
次に、データ受信側の動作を説明する。データ受信側の携帯電話機１０Ｂにおいては、ユーザが操作部２７を操作して携帯電話機１０Ｂをデータ受信モードとする。データ受信状態に入り、送信側からの光信号を待ち受ける。この受信モード時に、携帯電話機１０Ｂのカメラ３０が携帯電話機１０ＡのＬＥＤ３２からの光信号を受光すると、携帯電話機１０Ｂのカメラ制御部２９は、カメラ３０で受光した光の有無に応じた信号を信号処理を行い、元の送信信号に復元する。なお、この送信信号の復元はＣＰＵ２１が行う態様でもよい。ＣＰＵ２１は、受信したデータを電話番号に変換するなど、データに対応する制御を行う。例えば、受信したデータが電話番号やメールアドレス等のデータであれば、そのデータを携帯電話機１０Ｂの表示部２８に表示する、受信の可否をスピーカ２６により報知する制御を行う。
【００３２】
上記ＬＥＤを用いたデータ転送制御の具体例について説明する。
図３は、データ送信信号の制御方法の一例を示す図であり、同図において横軸は時間、縦軸はＬＥＤ３２のＯＮ／ＯＦＦを示している。
【００３３】
図３では、「０」は１０回の点滅、「９」は９回の点滅、「８」は８回の点滅というように数字（番号）に合わせた発光を行う例である。数字と数字の間は所定の間隔をあけて数字同士の区切りとする。
【００３４】
このようにＬＥＤ３２の点滅回数を送信データの数字（例えば電話番号）に対応させ、ある決まった周期でＯＮ／ＯＦＦすることにより電話番号に応じた光信号に変換し出力する。図３の例は一例でありこれに限定されるものではない。しかし、可視光を使用することによりデータ転送を行っていることをユーザに知らせる目的を考慮すると、点滅回数を数字に対応させることは、データ転送の内容が容易に分ることになるので好ましい。また、発光色を変化できるＬＥＤを用いる場合、例えば通常の点滅を赤、５回分の点滅を青とすれば、数字「７」は青の点滅１回と赤の点滅２回という色の組み合わせで表示でき、ユーザはより分りやすくデータ転送の内容を把握できる。
【００３５】
以上のように、本実施の形態のカメラ付き携帯電話機１０Ａ，１０Ｂは、データ転送時にユーザ操作等により発光するＬＥＤライト１３Ａ，１３Ｂと、対象となる画像情報を入力するとともに、データ転送時、ＬＥＤ１３Ａ，１３Ｂの発光を受光可能なカメラ１２Ａ，１２Ｂとを備え、ＣＰＵ２１（図２）は、データ転送時には、電話番号やメールアドレス等のデータをＬＥＤの発光パターンに変えて送信するとともに、カメラ１２Ａ，１２Ｂにより受光した発光パターンから電話番号やメールアドレス等のデータを復元する制御を行うので、例えば携帯電話機１０Ａから携帯電話機１０Ｂに、ＬＥＤの点滅や色の変化によってユーザに転送状態を分らせながら電話番号やメールアドレス、ＵＲＬ等のデータを転送することができる。
【００３６】
また、ケーブルの接続を行う必要がなく、１対多のデータ転送が可能となり、可視光を使用しているのでデータ転送を行っていることがユーザにわかりやすく、面白味のあるデータ転送ができる。
【００３７】
さらに、ＬＥＤライトＬＥＤ１３Ａ，１３Ｂ及びカメラ付き携帯電話機１０Ａ，１０Ｂに設けられている既存デバイスを使用するため、新たな部材等を用いる必要はなくソフトウェアのみで実現可能であり、コストが掛からず容易に実施できる利点がある。
【００３８】
本実施の形態では、図１に示すように送信側と受信側が１対１の例を説明したが、ＬＥＤライト１３Ａ，１３Ｂは発する光信号の指向性がある程度広く、また受信側から送信側への応答等がないので、図１（ｂ）に示すカメラ付き携帯電話機１０Ｂを複数用意すれば１対多のデータ転送も可能である。
【００３９】
また、本実施の形態は、電話番号等の数値データを光の点滅数に割り当ててデータ転送した場合の例であるが、データの種類はどのようなものでもよい。例えば、文字コードを点滅数に割り当てて文字を転送する、またメールアドレス等を転送することも可能である。また、発光素子として、３色（赤、青、緑）独立に制御できるＬＥＤ及びその制御回路を使用し、光の点滅だけでなく光の色を含めて文字コードを割り当てることも可能である。
以上の説明は本発明の好適な実施の形態の例証であり、本発明の範囲はこれに限定されることはない。
【００４０】
なお、上記実施の形態では、携帯電話機に適用した例であるが、ＰＤＡ等の携帯情報端末、ノート型パソコン等の情報処理装置など、カメラ（内蔵／外付け）を備えた装置であればどのような装置にも適用可能である。さらに、デジタルカメラにＬＥＤ等の発光素子（ストロボと兼用でもよい）を取り付けたものでもよい。
【００４１】
また、上記実施の形態では、携帯端末装置及びデータ転送方式という名称を用いたが、これは説明の便宜上であり、通信端末装置、データ転送装置やデータ転送方法等でもよいことは勿論である。また、データ転送対象となるデータは、どのようなデータであってもよい。
【００４２】
また、上記実施の形態において、データ転送時には、データ転送モードにあることの表示部２８への文字あるいはアイコンによるメッセージ表示、スピーカ２６による音による報知を行うことが好ましい。また、この報知方法は何でもよく、例えば音声であってもよい。音声で通知する場合は、携帯電話機に、音声データ生成チップ，Ｄ／Ａコンバータ，アンプ及びスピーカ等からなる音声出力部を設け、音声データ生成チップを用いてデータ転送完了／失敗等の旨のメッセージ内容の音声合成を行いスピーカにより音声出力する。
さらに、上記携帯端末装置を構成する各回路部、例えば記憶部やＬＥＤの種類、数及び接続方法などは前述した実施の形態に限られない。
【００４３】
【発明の効果】
以上、詳述したように、本発明によれば、カメラ付き携帯電話機などの携帯端末装置において、ケーブルの接続を行う必要がなく、１対多のデータ転送が可能となり、可視光を使用しているのでデータ転送を行っていることがユーザにわかりやすく、面白味のあるデータ転送を実現することができる。
【図面の簡単な説明】
【図１】本発明の実施の形態の携帯端末装置の外観を模式的に示す図である。
【図２】本実施の形態の携帯端末装置の構成を示すブロック図である。
【図３】本実施の形態の携帯端末装置のデータ送信信号の制御方法の一例を示す図である。
【符号の説明】
１０Ａ，１０Ｂ  カメラ付き携帯電話機（携帯端末装置）
１１Ａ，１１Ｂ  アンテナ
１２Ａ，１２Ｂ，３０  カメラ（撮像手段）
１３Ａ，１３Ｂ  ＬＥＤライト（発光素子）
１４Ａ，１４Ｂ，２８  ＬＣＤ表示部
２１  ＣＰＵ
２２  メモリ
２３  送受信部
２４  ベースバンド部
２５  マイク
２６  スピーカ
２７  操作部
２９  カメラ制御部
３１  ＬＥＤ制御部
３２  ＬＥＤ（発光素子）
【図１】
2004221924.tif 000003
【図２】
2004221924.tif 000004
【図３】
2004221924.tif 000005